(57)【要約】【課題】解体状態での保管や運搬において広いスペースを必要とせず、組立て及び解体作業をひとりで行うことができるベッドフレームを提供することを目的とする。【解決手段】水平かつ平行に配置された２つの縦桟部材２１とこれらに交差する位置に水平かつ平行に配置された２つの横桟部材２２が結合分離自在に結合されて構成される矩形枠状のフレーム体１１と、フレーム体１１に取り付けられ、２つの横桟部材２２の間の領域に２つの横桟部材２２に対して平行に並んで配置された複数の中間桟部材１２とを備える。複数の中間桟部材１２のそれぞれは、その中間桟部材１２の軸方向の両端部からその軸方向に沿った外側に突出して延びた２つの突起部（中間桟突起部１２Ｔ）を２つの縦桟部材２１それぞれの上面に形成された複数の窪み部３２の各々に上方から嵌合させて２つの縦桟部材２１に着脱自在に取り付けられている。【選択図】図１０
0003217229.tif 000002
【実用新案登録請求の範囲】
【請求項１】
水平かつ平行に配置された２つの縦桟部材と前記２つの縦桟部材に対して交差する位置に水平かつ平行に配置された２つの横桟部材が結合分離自在に結合されて構成される矩形枠状のフレーム体と、
前記フレーム体に取り付けられ、前記２つの横桟部材の間の領域に前記２つの横桟部材に対して平行に並んで配置された複数の中間桟部材とを備え、
前記複数の中間桟部材のそれぞれは、その中間桟部材の軸方向の両端部から前記軸方向に沿った外側に突出して延びた２つの突起部を前記２つの縦桟部材それぞれの上面に形成された複数の窪み部の各々に上方から嵌合させて前記２つの縦桟部材に着脱自在に取り付けられているベッドフレーム。
【請求項２】
前記２つの縦桟部材はそれぞれほぼ同じ長さを有する２つの縦桟構成部材が端部同士を結合されて構成される請求項１に記載のベッドフレーム。
【請求項３】
前記２つの縦桟部材を構成する４つの前記縦桟構成部材、前記２つの横桟部材及び前記複数の中間桟部材はほぼ同じ長さを有する請求項２に記載のベッドフレーム。
【請求項４】
前記フレーム体に着脱自在な複数の脚部材を備え、前記フレーム体は前記フレーム体に取り付けられた前記複数の脚部材によって床面から浮いた状態に支持される請求項１〜３のいずれかに記載のベッドフレーム。
【請求項５】
前記縦桟部材、前記横桟部材及び前記脚部材の相互に重なる部分がひとつの締結具によって一体に結合される請求項４に記載のベッドフレーム。
【請求項６】
解体した状態で前記４つの縦桟構成部材、前記２つの横桟部材及び前記複数の中間桟部材を長手方向が同じ方向を向くようにして纏めて得られる部品集合体を、開口がほぼ正方形或いは縦横比の小さい長方形で前記長手方向に延びた形状の箱型のケースに入れて収納することができる請求項２〜５のいずれかに記載のベッドフレーム。
【考案の詳細な説明】
【技術分野】
【０００１】
本考案は、組立て式のベッドフレームに関する。
【背景技術】
【０００２】
従来、組立て式のベッドフレームとして特許文献１に記載されたものが知られている。この特許文献１に記載されたベッドフレームは、長フレーム、短フレーム及び脚が組み合わされて成るフレーム構造を有し、このフレーム構造によって形成される四角形部分に、簀子や板等から成るマットレス載置部材が落とし込まれる構成となっている。
【先行技術文献】
【特許文献】
【０００３】
【特許文献１】特開２０１８−０００８８６号公報
【考案の概要】
【考案が解決しようとする課題】
【０００４】
しかしながら、上記特許文献１に記載されたベッドフレームはマットレスの載置部分として簀子や板等の一定の範囲に広がった平板状の部材が必要であり、ベッドフレームを解体した状態であってもこれを保管し或いは運搬するためには広いスペースが必要であった。また、一定の範囲に広がった平板状の部材である簀子や板等の部材は重量が大きく、持ち運びをひとりで行うのは困難であるため、ベッドフレームの組立て及び解体作業をひとりで行うのは難しいという問題点もあった。
【０００５】
そこで本考案は、解体状態での保管や運搬において広いスペースを必要とせず、組立て及び解体作業をひとりで行うことができるベッドフレームを提供することを目的とする。
【課題を解決するための手段】
【０００６】
本考案のベッドフレームは、水平かつ平行に配置された２つの縦桟部材と前記２つの縦桟部材に対して交差する位置に水平かつ平行に配置された２つの横桟部材が結合分離自在に結合されて構成される矩形枠状のフレーム体と、前記フレーム体に取り付けられ、前記２つの横桟部材の間の領域に前記２つの横桟部材に対して平行に並んで配置された複数の中間桟部材とを備え、前記複数の中間桟部材のそれぞれは、その中間桟部材の軸方向の両端部から前記軸方向に沿った外側に突出して延びた２つの突起部を前記２つの縦桟部材それぞれの上面に形成された複数の窪み部の各々に上方から嵌合させて前記２つの縦桟部材に着脱自在に取り付けられている。
【考案の効果】
【０００７】
本考案のベッドフレームは、解体状態での保管や運搬において広いスペースを必要とせず、組立て及び解体作業をひとりで行うことができる。
【図面の簡単な説明】
【０００８】
【図１】本考案の一実施の形態におけるベッドフレームの斜視図
【図２】本考案の一実施の形態におけるベッドフレームをこれに取り付けられるマットレスとともに示す斜視図
【図３】本考案の一実施の形態におけるベッドフレームのフレーム体の一部の分解斜視図
【図４】本考案の一実施の形態におけるベッドフレームのフレーム体の一部の分解斜視図
【図５】本考案の一実施の形態におけるベッドフレームのフレーム体の一部の分解斜視図
【図６】本考案の一実施の形態におけるベッドフレームの矢視Ｖ１−Ｖ１断面図
【図７】本考案の一実施の形態におけるベッドフレームのフレーム体の一部の分解斜視図
【図８】本考案の一実施の形態におけるベッドフレームのフレーム体の一部の分解斜視図
【図９】本考案の一実施の形態におけるベッドフレームの矢視Ｖ２−Ｖ２断面図
【図１０】本考案の一実施の形態におけるベッドフレームの一部の分解斜視図
【図１１】本考案の一実施の形態におけるベッドフレームの一部の分解斜視図
【図１２】本考案の一実施の形態におけるベッドフレームの組立て手順を説明する斜視図
【図１３】本考案の一実施の形態におけるベッドフレームの組立て手順を説明する斜視図
【図１４】本考案の一実施の形態におけるベッドフレームにマットレスを載置する状況を示す斜視図
【図１５】本考案の一実施の形態におけるベッドフレームの部品集合体を形成する手順を示す斜視図
【図１６】本考案の一実施の形態におけるベッドフレームの部品集合体の斜視図
【図１７】本考案の一実施の形態におけるベッドフレームの部品集合体をケースに収納した状態の斜視図
【図１８】本考案の一実施の形態のベッドフレームを脚なし状態で組み立てた場合の斜視図
【図１９】本考案の一実施の形態のベッドフレームを脚なし状態で組み立てた場合における（ａ）矢視Ｖ３−Ｖ３断面図（ｂ）矢視Ｖ４−Ｖ４断面図
【図２０】本考案の一実施の形態のベッドフレームを脚なし状態で組み立てた場合のマットレスの載置状態を示す斜視図
【考案を実施するための形態】
【０００９】
以下、図面を参照して本考案の実施の形態について説明する。図１は本考案の一実施の形態におけるベッドフレーム１を示している。ベッドフレーム１は、水平面内に広がる矩形枠状のフレーム体１１と、フレーム体１１に取り付けられた複数（ここでは１６本）の中間桟部材１２を備えている。フレーム体１１の下面側には複数（ここでは６本）の脚部材１３が取り付けられており、これら６本の脚部材１３によりフレーム体１１は床面ＦＬから浮いた状態に支持されている。
【００１０】
ベッドフレーム１は、図２に示すように、上面にシングルサイズのマットレスＭＬを載置させた状態でこれを十分に支持することができる大きさを有している。ここでは、ベッドフレーム１に載置されるシングルサイズのマットレスＭＬが、縦寸法（ＴＳ）が約２０００ｍｍ（１９５０〜２０５０ｍｍ程度）、横寸法（ＹＳ）が約１０００ｍｍ（９５０〜１０５０ｍｍ程度）の大きさを有するものとしている。
【００１１】
図１及び図３において、フレーム体１１は、水平かつ平行に配置された２つの縦桟部材２１と、これら２つの縦桟部材２１に対して交差する位置に水平かつ平行に配置された２つの横桟部材２２を有して成る。２つの縦桟部材２１と２つの横桟部材２２は端部同士が結合分離自在に結合されている。２つの縦桟部材２１はそれぞれ、ほぼ同じ長さを有する２つの縦桟構成部材２１ａから構成されており、複数の横桟部材２２はそれぞれ縦桟部材２１に端部が結合されている。
【００１２】
図４及び図５に示すように、ひとつの縦桟部材２１を構成する２つの縦桟構成部材２１ａのうちの一方の内側の端部（縦桟部材２１の中央部側の端部）には下半分が軸方向の外側（他方の縦桟構成部材２１ａ側）に突出した下側突出部２１Ｐが形成されており、他方の縦桟構成部材２１ａの内側の端部には上半分が軸方向の外側（一方の縦桟構成部材２１ａ側）に突出した上側突出部２１Ｑが形成されている。２つの縦桟構成部材２１ａは下側突出部２１Ｐと上側突出部２１Ｑを上下に重ね合わせて（オーバーラップさせて）いる。
【００１３】
図１及び図３において、２つの縦桟構成部材２１ａのオーバーラップした部分の下方には脚部材１３が配置されている。これら２つの縦桟構成部材２１ａと脚部材１３は、２つの縦桟構成部材２１ａの上方から２つの縦桟構成部材２１ａ及び脚部材１３に挿通された（詳細には、各縦桟構成部材２１ａに設けられたボルト孔２１Ｈ及び脚部材１３に設けられたボルト穴１３Ｈに挿通された）ボルトＢＴによって結合分離自在に結合されている（図３、図４、図５及び図６参照。図６は図３中に示す矢視Ｖ１−Ｖ１から見た断面図）。このように本実施の形態では、２つの縦桟構成部材２１ａ及び脚部材１３の相互に（上下方向に）重なる部分がひとつの締結具（ボルトＢＴ）によって一体に結合されるようになっている。
【００１４】
図４、図５及び図６において、縦桟部材２１の中間部（２つの縦桟構成部材２１ａの連結部）に配置された脚部材１３は、上記のようにボルトＢＴによって２つの縦桟構成部材２１ａ及び横桟部材２２と結合されるほか、ダボＤＢによって一方の縦桟構成部材２１ａ（ここでは上側突出部２１Ｑが形成されている側の縦桟構成部材２１ａ）と結合されている。ダボＤＢは、脚部材１３の上面側に開口して設けられた脚側ダボ穴１３Ｄに下半分が圧入されており、縦桟部材２１の下面側に開口して設けられた縦桟側ダボ穴２１Ｄに上半分が圧入されている。
【００１５】
図７及び図８に示すように、２つの横桟部材２２はそれぞれ、その横桟部材２２の軸方向の両端部からその軸方向に沿った外側に突出して延びた２つの突起部（横桟突起部２２Ｔ）を有している。一方、縦桟部材２１を構成する２つの縦桟構成部材２１ａそれぞれの外側の端部（縦桟部材２１の軸方向の端部側の端部）の上面には下方に窪んだ形状の窪み３１が設けられている。
【００１６】
図８において、窪み３１は横桟突起部２２Ｔの形状を反転させた形状を有しており、横桟部材２２は２つの横桟突起部２２Ｔを２つの縦桟部材２１の対向する位置に位置する２つの窪み３１に上方から嵌合させている（図１）。これにより縦桟部材２１と横桟部材２２は端部同士を上下方向に重ね合わせた（オーバーラップさせた）状態となっている。
【００１７】
図１及び図３において、縦桟部材２１と横桟部材２２の上下方向にオーバーラップした部分の下方には脚部材１３が配置されている。これら縦桟部材２１、横桟部材２２及び脚部材１３は、横桟部材２２の上方から横桟部材２２、縦桟部材２１及び脚部材１３に挿通された（詳細には、横桟部材２２に設けられたボルト孔２２Ｈ、縦桟構成部材２１ａに設けられたボルト孔２１Ｈ及び脚部材１３に設けられたボルト穴１３Ｈに挿通された）ボルトＢＴによって結合分離自在に結合されている（図３、図８及び図９参照。図９は図３中に示す矢視Ｖ２−Ｖ２から見た断面図）。このように本実施の形態では、横桟部材２２、縦桟部材２１及び脚部材１３の相互に（上下方向に）重なる部分がひとつの締結具（ボルトＢＴ）によって一体に結合されるようになっている。
【００１８】
図８及び図９において、フレーム体１１の四隅に配置された脚部材１３は、上記のようにボルトＢＴによって縦桟部材２１及び横桟部材２２に結合されるほか、ダボＤＢによって縦桟部材２１と結合されている。ダボＤＢは、脚部材１３の上面側に開口して設けられた脚側ダボ穴１３Ｄに下半分が圧入されており、縦桟部材２１の下面側に開口して設けられた縦桟側ダボ穴２１Ｄに上半分が圧入されている。
【００１９】
図１において、１６本の中間桟部材１２は、フレーム体１１における２つの横桟部材２２の間の領域に、２つの横桟部材２２に対して平行に並んで配置されている。図１０及び図１１に示すように、１６本の中間桟部材１２はそれぞれ、その中間桟部材１２の軸方向の両端部からその軸方向に沿った外側に突出して延びた２つの突起部（中間桟突起部１２Ｔ）を有しており、２つの縦桟部材２１それぞれの上面には下方に窪んだ形状の窪み部３２が縦桟部材２１の軸方向に沿って複数並んで設けられている。
【００２０】
窪み部３２は中間桟突起部１２Ｔの形状を反転させた形状を有しており、中間桟部材１２は２つの中間桟突起部１２Ｔを２つの縦桟部材２１の対向する位置に設けられた２つの窪み部３２に上方から嵌合させている。このように本実施の形態におけるベッドフレーム１では、各中間桟部材１２をフレーム体１１に取り付けるにおいてボルト等の締結具が不要であり、極めて簡単に組み立てる（或いは解体する）ことができるようになっている。
【００２１】
ベッドフレーム１に載置されるマットレスＭＬの大きさは、前述のように、縦寸法（ＴＳ）が約２０００ｍｍ、横寸法（ＹＳ）が約１０００ｍｍであることから、縦桟部材２１の長さは約２０００ｍｍであり、横桟部材２２の長さは約１０００ｍｍである。各縦桟構成部材２１ａの長さは縦桟部材２１の約半分の長さであって約１０００ｍｍである。また、１６本の中間桟部材１２は互いに同じ長さであるともに、２つの横桟部材２２とほぼ同じ長さを有している。よって、２つの縦桟部材２１を構成する４つの縦桟構成部材２１ａ、２つの横桟部材２２及び複数（１６本）の中間桟部材１２はほぼ同じ長さを有しており、その長さはいずれも１０００ｍｍ程度（９６０〜１０１０ｍｍの範囲の長さ）となっている。
【００２２】
上記構成のベッドフレーム１を組み立てるには、先ず、図１２に示すように、床面ＦＬに６本の脚部材１３を設置する。６本の脚部材１３はベッドフレーム１が最終的に組立てられた状態を想定して床面ＦＬ上の配置が定められる。各脚部材１３の脚側ダボ穴１３ＤにダボＤＢの下半分を圧入し、次いで、各６本の脚部材１３に４つの縦桟構成部材２１ａを載置する（図１３）。このとき６本の脚部材１３に取り付けた各ダボＤＢの上半分が４つの縦桟構成部材２１ａのダボ穴（縦桟側ダボ穴２１Ｄ）に圧入されるようにする。また、一方の縦桟構成部材２１ａの下側突出部２１Ｐの上面側に他方の縦桟構成部材２１ａの上側突出部２１Ｑが重ねられるようにする。
【００２３】
４つの縦桟構成部材２１ａを６本の脚部材１３に載置したら、４つの縦桟構成部材２１ａから構成される２つの縦桟部材２１に２つの横桟部材２２を連結する（図７）。このとき、２つの横桟部材２２それぞれの両端に設けられた２つの突起部（横桟突起部２２Ｔ）を、２つの縦桟部材２１の両端部に設けられた２つの窪み３１に上方から嵌合させるようにする。
【００２４】
２つの縦桟部材２１に２つの横桟部材２２を連結したら、縦桟部材２１を構成する２つの縦桟構成部材２１ａの連結箇所（２箇所）と、縦桟部材２１と横桟部材２２の連結箇所（４箇所）をそれぞれボルトＢＴによって結合してフレーム体１１を組み合立てる（図３）。このとき各ボルトＢＴによって脚部材１３がフレーム体１１に結合されるようにする（図６及び図９）。
【００２５】
フレーム体１１を組み立てたら、フレーム体１１に１６本の中間桟部材１２を順次取り付ける。このとき中間桟部材１２の両端に形成された２つの突起部（中間桟突起部１２Ｔ）を、２つの縦桟部材２１の対向する位置に設けられた２つの窪み部３２に上方から嵌合させるようにする（図１０及び図１１）。フレーム体１１に１６本の中間桟部材１２を取り付けたら、ベッドフレーム１の組立てが完了する（図１）。
【００２６】
ベッドフレーム１の組立てが完了したら、２つの縦桟部材２１、２つの横桟部材２２及び１６本の中間桟部材１２それぞれの上面によって形成される面（マットレス載置面）にシングルサイズのマットレスＭＬを載置する（図１４→図２）。組立てが完了したベッドフレーム１のマットレス載置面の大きさはシングルサイズのマットレスＭＬの縦横寸法とほぼ一致するので、ベッドフレーム１によってシングルサイズのマットレスＭＬを支持することができる。
【００２７】
このようにして組み立てられたベッドフレーム１は、逆の順序で解体することができる。ベッドフレーム１を解体した状態では、４つの縦桟構成部材２１ａ、２つの横桟部材２２及び１６本の中間桟部材１２を長手方向が同じ方向を向くようにして纏めることでコンパクトな部品集合体ＫＴとすることができる（図１５→図１６）。このため、広いスペースを必要とすることなく解体状態のベッドフレーム１を保管し、運搬することが可能である。また、コンパクトに纏めた部品集合体ＫＴは、開口がほぼ正方形（或いは縦横比の小さい長方形）で長手方向に延びた形状の箱型のケースＣＳに入れて収納することができるので（図１７）、ベッドフレーム１を店頭のほか通信販売で販売するなどの場合において便利であり、見栄えもよくなる。なお、４つの縦桟構成部材２１ａ、２つの横桟部材２２及び複数（１６本）の中間桟部材１２の長さはいずれも１０００ｍｍ程度であるので、ケースＣＳの大きさは長さが１０００ｍｍを１００ｍｍほど超える程度の大きさとなる。
【００２８】
本実施の形態におけるベッドフレーム１は、フレーム体１１に脚部材１３を取り付けることなく、フレーム体１１をじかに床面ＦＬ上に設置して使用することもできる。図１８は、このように脚部材１３を使用しない脚なし状態で組み立てたベッドフレーム１を示している。
【００２９】
ベッドフレーム１を脚なし状態で組み立てる場合、部材同士の結合に使用するボルトＢＴは、いずれも縦桟部材２１の高さ方向の寸法を超えない長さとする必要があり、脚部材１３を使用して組み立てる場合よりも短い長さのボルトＢＴが使用される（図１９（ａ），（ｂ）参照。図１９（ａ）は図１８中に示す矢視Ｖ３−Ｖ３から見た断面図、図１９（ｂ）は図１８中に示す矢視Ｖ４−Ｖ４から見た断面図）。また、フレーム体１１に脚部材１３を取り付けるためのダボＤＢは不要となる（図１９（ａ），（ｂ）参照）。このようにして組み立てたベッドフレーム１のマットレス載置面にマットレスＭＬを載置した状態を図２０に示す。
【００３０】
以上説明したように、本実施の形態におけるベッドフレーム１では、２つの縦桟部材２１と２つの横桟部材２２が結合分離自在に結合されて構成される矩形枠状のフレーム体１１と、フレーム体１１の２つの横桟部材２２の間に配置された複数の中間桟部材１２とから成り、複数の中間桟部材１２がマットレス載置部材としての機能を果たすので、従来のように広い面積を有する簀子や板等の部材が不要である。このためベッドフレーム１の解体状態での部品の保管や運搬において広いスペースを必要とせず、ベッドフレーム１の組立て及び解体作業をひとりで容易に行うことができる。また、複数の中間桟部材１２のそれぞれは、その中間桟部材１２の軸方向の両端部からその軸方向に沿った外側に突出して延びた２つの突起部（中間桟突起部１２Ｔ）を２つの縦桟部材２１の上面に形成された複数の窪み３１の各々に上方から嵌合させるだけでよく、中間桟部材１２を極めて簡単にフレーム体１１に固定することができるので、ベッドフレーム１の組立て及び解体作業をより一層簡単に行うことができる。
【００３１】
これまで本考案の実施の形態について説明してきたが、本考案は上述したものに限定されず、種々の変形が可能である。例えば、上述の実施の形態では、中間桟部材１２の数は１６本であったがこれは一例であり、マットレスＭＬを支持するのに適した数であればその数は問わない。脚部材１３を使用する場合における脚部材１３の数も、フレーム体１１を適切に支持できる数であればその数は問わない。また、２つの縦桟部材２１と２つの横桟部材２２の端部同士を結合分離自在に結合する手段及び２つの縦桟構成部材２１ａ同士を結合分離自在に結合する手段は任意であり、上述の実施の形態に示したボルトＢＴによる結合方法に限定されない。なお、上述の実施の形態に示したベッドフレーム１を構成するフレーム体１１（縦桟部材２１及び横桟部材２２）と脚部材１３の材質は木材を想定しているが、金属材料等を用いても構わない。
【産業上の利用可能性】
【００３２】
解体状態での保管や運搬において広いスペースを必要とせず、組立て及び解体作業をひとりで行うことができるベッドフレームを提供する。
【符号の説明】
【００３３】
１  ベッドフレーム
１１  フレーム体
１２  中間桟部材
１２Ｔ  中間桟突起部（突起部）
１３  脚部材
２１  縦桟部材
２１ａ  縦桟構成部材
２２  横桟部材
３２  窪み部
ＢＴ  ボルト（締結具）
ＦＬ  床面
ＣＳ  ケース
【図１】
0003217229.tif 000003
【図２】
0003217229.tif 000004
【図３】
0003217229.tif 000005
【図４】
0003217229.tif 000006
【図５】
0003217229.tif 000007
【図６】
0003217229.tif 000008
【図７】
0003217229.tif 000009
【図８】
0003217229.tif 000010
【図９】
0003217229.tif 000011
【図１０】
0003217229.tif 000012
【図１１】
0003217229.tif 000013
【図１２】
0003217229.tif 000014
【図１３】
0003217229.tif 000015
【図１４】
0003217229.tif 000016
【図１５】
0003217229.tif 000017
【図１６】
0003217229.tif 000018
【図１７】
0003217229.tif 000019
【図１８】
0003217229.tif 000020
【図１９】
0003217229.tif 000021
【図２０】
0003217229.tif 000022